(57)【特許請求の範囲】
【請求項１】
ビニールハウス、ベース・ベンチなどの簡易建築物の基礎構造であって、複数本の支柱の下部の地中部に横孔を開け、これらの横孔に長尺材を通し、且つ長尺材を固定するためのくさびを打ち込んで支柱同士を連結するとともに前記地中部、長尺材及びくさびを地中に埋めたことを特徴とする簡易建築物の基礎構造。
【請求項２】
前記地中部の下端に十分に大きな座板を固着し、この座板を介して基礎モルタルなどの半固形物に支柱を載置することを特徴とした請求項１記載の簡易建築物の基礎構造。
【請求項３】
前記座板に前記半固形物から滲み出す水分等を抜くための開口を開けたことを特徴とする請求項２記載の簡易建築物の基礎構造。
【請求項４】
前記座板を矩形板とし、４隅にスパイク部を折り曲げ形成し、これらのスパイク部を前記半固形物に噛合させることを特徴とする請求項２又は請求項３記載の簡易建築物の基礎構造。
【請求項５】
奥壁と左右壁と少なくとも左右壁の下端から張出したベース板とからなり前記左右壁の内のりを支柱外径に合致させた基礎金物と、この基礎金物に縦向きに貫通させた支柱を前記奥壁へ押圧すべく前記左右壁に取付けたくさびとからなり、基礎金物に支柱をくさび固定した状態で、前記ベース板を直接地面に載せるとともに支柱の下部を地中へ埋めることで、支柱の水平移動及び沈み込みを抑えるようにした簡易建築物の基礎構造。
【発明の詳細な説明】
【０００１】
【発明の属する技術分野】
本発明はビニールハウス、ベース・ベンチ（鉢載せベンチ）などの簡易建築物の基礎構造に関する。
【０００２】
【従来の技術】
木造家屋では、布基礎と称する連続基礎上に土台を介して柱を立てる。しかし、ビニールハウスなどの簡易ハウスでは一般に独立基礎に柱を立てる構造を採用している。
また、ベース・ベンチにおいては、コンクリートブロックや角材を地面に置き、その上に載せるようにしている。
【０００３】
【発明が解決しようとする課題】
しかし、独立基礎を構築するには、地面掘削、型枠組み、コンクリート流し込み、型枠撤去の施工を要し、工期が長くなる。
また、ベース・ベンチをコンクリートブロックや角材に載せるだけでは、横荷重に弱いという欠点がある。
そこで、本発明の目的は、▲１▼簡易ハウスにおいて工期の短い柱基礎構造、▲２▼横荷重に強い柱基礎構造を提供することにある。
【０００４】
【課題を解決するための手段】
上記目的を達成するために請求項１は、複数本の支柱の下部の地中部に横孔を開け、これらの横孔に長尺材を通し、且つ長尺材を固定するためのくさびを打ち込んで支柱同士を連結するとともに地中部、長尺材及びくさびを地中に埋めたことを特徴とする簡易建築物の基礎構造である。
支柱同士を地中部において長尺材で連結したので、横荷重に良好に耐える。長尺材をくさびで固定するだけであるから、組立て及び解体が極めて容易となり、施工時間の短縮化が図れる。
【０００５】
請求項２は、支柱の地中部の下端に十分に大きな座板を固着し、この座板を介して基礎モルタルなどの半固形物に支柱を載置する。
地面に溝を掘り、溝の底にモルタルなどの半固形物を置き、その上に座板を押し当てることで、支柱を持たせることができ、施工が極めて容易となり、施工時間も短くて済む。
【０００６】
請求項３は、座板に半固形物から滲み出す水分等を抜くための開口を開けたことを特徴とする。
座板に開けた開口から水を抜くことができるとともに、半固形物の一部を進入させて座板に強固に噛合させることができる。従って、半固形物の凝固時間が短縮できるとともに、座板の水平強度が高まる。
【０００７】
請求項４は、座板を矩形板とし、４隅にスパイク部を折り曲げ形成し、これらのスパイク部を半固形物に噛合させることを特徴とする。
スパイク部を半固形物に噛合させたので、座板の地面に対する接着強度が増す。
【０００８】
請求項５は、奥壁と左右壁と少なくとも左右壁の下端から張出したベース板とからなり左右壁の内のりを支柱外径に合致させた基礎金物と、この基礎金物に縦向きに貫通させた支柱を奥壁へ押圧すべく左右壁に取付けたくさびとからなり、基礎金物に支柱をくさび固定した状態で、ベース板を直接地面に載せるとともに支柱の下部を地中へ埋めることで、支柱の水平移動及び沈み込みを抑えるようにした簡易建築物の基礎構造である。
支柱の下部を地中に埋めた状態で、支柱に基礎金物を取付け、くさびを打込んで両者を固着する。下向き荷重はベース板で持たせ、水平荷重は支柱の下部を地中に埋めたことで持たせる。
モルタルセメントを使用しないので、凝固を待つ必要がなく施工時間が短くなる。くさび結合のみであるから、組立て、分解が極めて容易となる。
【０００９】
【発明の実施の形態】
本発明の実施の形態を添付図に基づいて以下に説明する。なお、簡易建築物を、ビニールハウス及びベース・ベンチを例に説明する。
図１は本発明に係るビニールハウスの正面図であり、ビニールハウス１は、本発明の基礎構造１０，１０上に立設した主柱２，２と、支柱２，２上に掛け渡したアーチ屋根３、間柱５・・・（・・・は複数本を示す。以下同様。）と、横桟６・・・と、引き戸７，７と、図示せぬビニールシートとからなる。
【００１０】
図２は本発明に係る基礎構造（第１実施例）を示す正面図（図１の要部拡大図）であり、主柱２を支える基礎構造１０は、支柱１１と、この支柱１１の下部に取付けた座板２０と、支柱同士を連結するための長尺材３０及びくさび３１とからなる。
【００１１】
図３は基礎構造（第１実施例）の分解斜視図であり、支柱１１は立て向きのＨ形鋼１２の上端に当て板１３を張り、また、高さ方向中央近傍に鍵穴状の横孔１４を開けてなる。
座板２０は十分に大きな矩形板２１と、それの四隅に折り曲げ形成したスパイク部２２・・・と、上面中央に起設したブラケット２３，２３と、６個の開口２４・・・とからなる。
２６，２６はボルト、２７，２７は座金、２８，２８はナットである。
【００１２】
以上の構成からなる基礎構造（第１実施例）の施工手順を次に説明する。
図４は図１の４矢視図兼作用説明図である。
地面に溝４０を堀り、溝４０の所定箇所に栗石４１，４１を敷く。
栗石４１，４１の上にモルタルなどの半固形物４２，４２を載せる。
予め、座板２０と支柱１１とを組んでおき、これらを半固形物４２，４２に載せる。このときに、スパイク部２２・・・が良好に半固形物４２，４２に噛み込む。
【００１３】
丸棒又はパイプなどの長尺材３０を支柱１１，１１に貫通させて取付け、くさび３１，３１を打込んで固定する。
土４３で溝４０を埋め戻す。これで、支柱１１の地中部１５、長尺材３０、くさび３１及び座板２０が地中に埋ったことにある。
半固形物４２，４２がある程度固まったら、支柱１１，１１上に主柱２，２を載せればよい。
【００１４】
次に述べる基礎構造（第２実施例）は図１の間柱５を支えるに好適であるが、他の目的に使用した例を説明する。
図５（ａ），（ｂ）はベース・ベンチの基礎構造の比較説明図である。
（ａ）は比較例を示し、ベンチ１０１の支柱１０２，１０２をコンクリートブロック１０３，１０３に載せたものである。載せているだけであるから、横荷重を受けると、横ずれ、転倒の虞れがある。
（ｂ）は本発明の第２実施例を示し、基礎構造５０，５０は、支柱５１，５１の下部を地中に埋め、これらの支柱５１，５１に基礎金物６０，６０をはめ、くさび５２・・・で固定し、支柱５１，５１の上に別の連結金具５３，５３及びくさび５４・・・にてベース・ベンチ５５を固定したものである。５６，５６はタイロッドである。
【００１５】
図６は本発明に係る基礎構造（第２実施例）の分解斜視図であり、基礎金物６０は、奥壁６１と左右壁６２，６２と左右壁６２，６２の下端から張出したベース板６３，６３とからなり前記左右壁６２，６２の内のりを支柱５１の外径に合致させたものである。
左右壁６２，６２には、タイロッド係止孔６５，６５と、上下に離間した角孔６４・・・を有し、これらの角孔６４・・・にくさび５２，５２を打込む構造とした。
【００１６】
図７は本発明に係る基礎構造（第２実施例）の断面図兼作用作用図であり、支柱５１の下部を地中に埋めた状態で、支柱５１に基礎金物６０を取付け、くさび５２，５２を打込んで両者を固着する。
下向き荷重はベース板６３で持たせ、水平荷重は支柱５１の下部を地中に埋めたことで持たせる。
【００１７】
第１実施例の基礎構造１０は、主柱２の様に主要な柱を支えるところに好適であり、また、第２実施例の基礎構造５０は、間柱５やベース・ベンチの支柱５１などのサブ的な柱を支えるところに好適である。しかし、基礎構造１０，５０のいずれを採用するかは、任意である。
また、本発明の基礎構造１０，５０は、ビニールハウスやベース・ベンチに限らず、仮設小屋、物置などの簡易建築物に広く採用できる。
【００１８】
【発明の効果】
本発明は上記構成により次の効果を発揮する。
請求項１は、複数本の支柱の下部の地中部に横孔を開け、これらの横孔に長尺材を通し、且つ長尺材を固定するためのくさびを打ち込んで支柱同士を連結するとともに地中部、長尺材及びくさびを地中に埋めたことを特徴とする簡易建築物の基礎構造である。
支柱同士を地中部において長尺材で連結したので、横荷重に良好に耐える。長尺材をくさびで固定するだけであるから、組立て及び解体が極めて容易となり、施工時間の短縮が図れる。
【００１９】
請求項２は、支柱の地中部の下端に十分に大きな座板を固着し、この座板を介して基礎モルタルなどの半固形物に支柱を載置する。
地面に溝を掘り、溝の底にモルタルなどの半固形物を置き、その上に座板を押し当てることで、支柱を持たせることができ、施工が極めて容易となり、施工時間も短くて済む。
【００２０】
請求項３は、座板に半固形物から滲み出す水分等を抜くための開口を開けたことを特徴とする。
座板に開けた開口から水を抜くことができるとともに、半固形物の一部を進入させて座板に強固に噛合させることができる。従って、半固形物の凝固時間が短縮できるとともに、座板の水平強度が高まる。
【００２１】
請求項４は、座板を矩形板とし、４隅にスパイク部を折り曲げ形成し、これらのスパイク部を半固形物に噛合させることを特徴とする。
スパイク部を半固形物に噛合させたので、座板の地面に対する接着強度が増す。
【００２２】
請求項５は、奥壁と左右壁と少なくとも左右壁の下端から張出したベース板とからなり左右壁の内のりを支柱外径に合致させた基礎金物と、この基礎金物に縦向きに貫通させた支柱を奥壁へ押圧すべく左右壁に取付けたくさびとからなり、基礎金物に支柱をくさび固定した状態で、ベース板を直接地面に載せるとともに支柱の下部を地中へ埋めることで、支柱の水平移動及び沈み込みを抑えるようにした簡易建築物の基礎構造である。
支柱の下部を地中に埋めた状態で、支柱に基礎金物を取付け、くさびを打込んで両者を固着する。下向き荷重はベース板で持たせ、水平荷重は支柱の下部を地中に埋めたことで持たせる。
モルタルセメントを使用しないので、凝固を待つ必要がなく施工時間が短くなる。くさび結合のみであるから、組立て、分解が極めて容易となる。
【図面の簡単な説明】
【図１】本発明に係るビニールハウスの正面図
【図２】本発明に係る基礎構造（第１実施例）を示す正面図（図１の要部拡大図）
【図３】基礎構造（第１実施例）の分解斜視図
【図４】図１の４矢視図兼作用説明図
【図５】ベース・ベンチの基礎構造の比較説明図
【図６】本発明に係る基礎構造（第２実施例）の分解斜視図
【図７】本発明に係る基礎構造（第２実施例）の断面図兼作用作用図
【符号の説明】
１…ビニールハウス、２…主柱、５…間柱、１０…基礎構造（第１実施例）、１１…支柱、１４…横孔、１５…地中部、２０…座板、２２…スパイク部、２４…開口、３０…長尺材、３１…くさび、４２…半固形物、５０…基礎構造（第２実施例）、５１…支柱、５２…くさび、５５…ベース・ベンチ、６０…基礎金物、６１…奥壁、６２…左右壁、６３…ベース板。
【図１】
0003595070.tif 000002
【図２】
0003595070.tif 000003
【図３】
0003595070.tif 000004
【図４】
0003595070.tif 000005
【図５】
0003595070.tif 000006
【図６】
0003595070.tif 000007
【図７】
0003595070.tif 000008